(57)【要約】【課題】ポリイミド及びポリベンゾオキサゾールと、フラックスとの反応を抑制して、シリコンウェハに形成された保護膜の変色、膨潤、及び、保護膜のシリコンウェハからの剥離を抑制することが可能なソルダペーストを提供する。【解決手段】ソルダペーストは、はんだ合金の粉末とフラックスからなり、フラックスは、フラックスの全量を１００とした場合に、溶剤を２０質量％以上７０質量％以下で含む。溶剤は、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、溶剤の全量を１００とした場合に５０質量％以上で含む。【選択図】無し【特許請求の範囲】
【請求項１】
はんだ合金の粉末とフラックスからなるソルダペーストにおいて、
前記フラックスは、前記フラックスの全量を１００とした場合に、溶剤を２０質量％以上７０質量％以下、ベース剤を１５質量％以上５０質量％以下、有機酸を２質量％超２０質量％以下で含み、
前記溶剤は、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、前記溶剤の全量を１００とした場合に５０質量％以上で含む
ことを特徴とするソルダペースト。
【請求項２】
前記有機酸は、シュウ酸、マロン酸、コハク酸、グルタル酸、アジピン酸、ピメリン酸、スベリン酸、アゼライン酸、セバシン酸、プロピオン酸、２,２−ビスヒロドキシメチルプロピオン酸、２,２−ビスヒロドキシメチルブタン酸、グリコール酸、ジグリコール酸、リンゴ酸、酒石酸の何れか、または２種以上の組み合わせである
ことを特徴とする請求項１に記載のソルダペースト。
【請求項３】
アミン、アミンハロゲン化水素酸塩、有機ハロゲン化合物、界面活性剤の何れか、または、２種以上の組み合わせを、前記フラックスに更に含む
ことを特徴とする請求項１または請求項２に記載のソルダペースト。
【請求項４】
前記アミンの含有量は、前記フラックスの全量を１００とした場合に、０質量％以上１５質量％以下、前記アミンハロゲン化水素酸塩の含有量は、前記フラックスの全量を１００とした場合に、０質量％以上５質量％以下、前記有機ハロゲン化合物の含有量は、前記フラックスの全量を１００とした場合に、０質量％以上５質量％以下、前記界面活性剤の含有量は、前記フラックスの全量を１００とした場合に、０質量％以上４０質量％以下である
ことを特徴とする請求項３に記載のソルダペースト。
【発明の詳細な説明】
【技術分野】
【０００１】
本発明は、シリコンウェハに使用可能なソルダペーストに関する。
【背景技術】
【０００２】
はんだ合金と接合対象物を接合する際に、はんだ合金及び接合対象物の金属表面に金属酸化物が形成されていると、濡れ性及び金属間化合物の形成が阻害される。はんだによる接合で使用されるフラックスは、はんだ合金及び接合対象物の金属表面に形成された金属酸化膜を化学的に除去する機能を持つ。
【０００３】
一般的に、フラックスは、金属酸化物と反応する活性剤と、固形成分を溶かす溶剤と、必要に応じて各種添加物を含む。このようなフラックスにおいて、基板に形成された有機系の絶縁膜への影響を抑えられるようにした技術が提案されている（例えば、特許文献１参照）。
【先行技術文献】
【特許文献】
【０００４】
【特許文献１】特開２０１２−１６６２２６号公報
【発明の概要】
【発明が解決しようとする課題】
【０００５】
シリコンウェハ等で形成された基板のランドにソルダペーストを印刷し、リフロー炉等で加熱すると、はんだ合金の表面の金属酸化物が除去され、はんだ合金が溶融することで、はんだバンプが形成される。
【０００６】
シリコンウェハの表面には、ポリイミド（ＰＩ）あるいはポリベンゾオキサゾール（ＰＢＯ）により、ランド等の露出させる必要がある箇所に開口を設けた保護膜が形成されている。
【０００７】
しかし、ポリイミドあるいはポリベンゾオキサゾールによる保護膜が形成されたシリコンウェハに従来のソルダペーストを印刷して加熱すると、保護膜中のポリイミドあるいはポリベンゾオキサゾールとフラックスが反応する。ポリイミドあるいはポリベンゾオキサゾールとフラックスが反応すると、保護膜の変色や膨潤が起こる可能性があった。更に、保護膜がシリコンウェハから剥離する可能性もあった。保護膜の変色、膨潤、及び、シリコンウェハからの剥離は、独立して発生する場合もあれば、同時に起こる場合もある。
【０００８】
本発明は、このような課題を解決するためになされたもので、シリコンウェハに使用しても、ポリイミド及びポリベンゾオキサゾールと、フラックスとの反応を抑制することが可能なソルダペーストを提供することを目的とする。
【課題を解決するための手段】
【０００９】
本願発明者らは、ポリイミド及びポリベンゾオキサゾールと、フラックスとの反応を、フラックス中の溶剤で抑制できることを見出した。そこで、本発明は、はんだ合金の粉末とフラックスからなるソルダペーストにおいて、フラックスは、フラックスの全量を１００とした場合に、溶剤を２０質量％以上７０質量％以下、ベース剤を１５質量％以上５０質量％以下、有機酸を２質量％超２０質量％以下で含み、溶剤は、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、溶剤の全量を１００とした場合に５０質量％以上で含むソルダペーストである。
【００１０】
有機酸は、シュウ酸、マロン酸、コハク酸、グルタル酸、アジピン酸、ピメリン酸、スベリン酸、アゼライン酸、セバシン酸、プロピオン酸、２,２−ビスヒロドキシメチルプロピオン酸、２,２−ビスヒロドキシメチルブタン酸、グリコール酸、ジグリコール酸、リンゴ酸、酒石酸の何れか、または２種以上の組み合わせである。
【００１１】
ソルダペーストは、アミン、アミンハロゲン化水素酸塩、有機ハロゲン化合物、界面活性剤の何れか、または、２種以上の組み合わせを、フラックスに更に含んでも良い。
【００１２】
アミンの含有量は、フラックスの全量を１００とした場合に、０質量％以上１５質量％以下、アミンハロゲン化水素酸塩の含有量は、フラックスの全量を１００とした場合に、０質量％以上５質量％以下、有機ハロゲン化合物の含有量は、フラックスの全量を１００とした場合に、０質量％以上５質量％以下、界面活性剤の含有量は、フラックスの全量を１００とした場合に、０質量％以上４０質量％以下である。
【発明の効果】
【００１３】
ジグリセリンＥＯ付加物、ジグリセリンＰＯ付加物、グリセリンＥＯ／ＰＯ付加物の何れか、または、その組み合わせを、フラックス中の溶剤として所定量含むソルダペーストでは、ポリイミド及びポリベンゾオキサゾールと、フラックスとの反応が抑制されることで、シリコンウェハに使用した場合、保護膜の変色、膨潤、及び、保護膜のシリコンウェハからの剥離を抑制することができる。
【発明を実施するための形態】
【００１４】
以下、本発明のソルダペーストの実施の形態について説明する。本実施の形態のソルダペーストは、フラックスとはんだ合金の金属粉から構成される。本実施の形態のソルダペーストを構成するフラックスは、溶剤とベース剤と有機酸とを少なくとも含む。
【００１５】
溶剤は、第１の溶剤として、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを含む。
【００１６】
また、溶剤は、第２の溶剤として、ターピネオールまたはグリコールエーテル系溶剤、例えばヘキシルグリコール、ヘキシルジグリコール、へキシレングリコール、2-エチルヘキシルグリコール、2-エチルヘキシルジグリコール、フェニルグリコール、フェニルジグリコール、ベンジルグリコール、ベンジルジグリコール等の何れか、または、２種以上の組み合わせを含む。
【００１７】
ジグリセリンＥＯ付加物、ジグリセリンＰＯ付加物及びグリセリンＥＯ／ＰＯ付加物は、固形物を溶かす溶剤として機能すると共に、金属酸化物と反応する活性剤として機能する。
【００１８】
ジグリセリンＥＯ付加物、ジグリセリンＰＯ付加物、及び、グリセリンＥＯ／ＰＯ付加物は、ポリイミド及びポリベンゾオキサゾールと反応し得る官能基が少ない。これにより、フラックスに、ジグリセリンＥＯ付加物、ジグリセリンＰＯ付加物、または、グリセリンＥＯ／ＰＯ付加物のいずれか、あるいは２種以上を含むソルダペーストは、ポリイミド及びポリベンゾオキサゾールとの反応が抑制され、シリコンウェハに形成された保護膜の変色、膨潤、及び保護膜のシリコンウェハからの剥離が抑制される。
【００１９】
ソルダペーストは、フラックスの全量を１００とした場合に、溶剤を２０質量％以上７０質量％以下で含む。そして、第１の溶剤を、溶剤の全量を１００とした場合に５０質量％以上で含む。
【００２０】
ベース剤は、ポリエチレングリコールを含む。ベース剤の含有量は、１５質量％以上５０質量％以下である。溶剤とベース剤を合わせた含有量は、フラックスの全量を１００とした場合に、好ましくは５０質量％以上９０質量％以下である。
【００２１】
フラックスは、活性剤として有機酸を含む。有機酸としては、シュウ酸、マロン酸、コハク酸、グルタル酸、アジピン酸、ピメリン酸、スベリン酸、アゼライン酸、セバシン酸、プロピオン酸、２,２−ビスヒロドキシメチルプロピオン酸、２,２−ビスヒロドキシメチルブタン酸、グリコール酸、ジグリコール酸、リンゴ酸、酒石酸の何れか、または２種以上の組み合わせである。有機酸の含有量は、フラックスの全量を１００とした場合に、２質量％以上２０質量％以下である。
【００２２】
フラックスは、活性補助剤として、アミン、アミンハロゲン化水素酸塩、有機ハロゲン化合物の何れか、または、２種以上の組み合わせを更に含んでも良い。
【００２３】
アミンの含有量は、フラックスの全量を１００とした場合に、０質量％以上１５質量％以下である。アミンとしては、脂肪族アミン、芳香族アミン、アミノアルコール類、イミダゾール類等が挙げられる。
【００２４】
脂肪族アミンとしては、エチルアミン、トリエチルアミン、エチレンジアミン等の何れか、または、２種以上の組み合わせを含む。芳香族アミンとしては、アニリン、ジメチルアニリン、ジエチルアニリン等の何れか、または、２種以上の組み合わせを含む。
【００２５】
アミノアルコール類としては、N,N,N',N'-テトラキス(2-ヒドロキシプロピル)エチレンジアミン、N,N,N',N'',N''-ペンタキス(2-ヒドロキシプロピル)ジエチレントリアミン等の何れか、または、２種以上の組み合わせを含む。
【００２６】
イミダゾール類としては、イミダゾール、2-メチルイミダゾール、2-ウンデシルイミダゾール、2-ヘプタデシルイミダゾール、1,2-ジメチルイミダゾール、2-エチル-4-メチルイミダゾール、2-フェニルイミダゾール、2-フェニル-4-メチルイミダゾール、1-ベンジル-2-メチルイミダゾール、1-ベンジル-2-フェニルイミダゾール、1-シアノエチル-2-メチルイミダゾール、1-シアノエチル-2-ウンデシルイミダゾール、1-シアノエチル-2-エチル-4-メチルイミダゾール、1-シアノエチル-2-フェニルイミダゾール、1-シアノエチル-2-ウンデシルイミダゾリウムトリメリテイト、1-シアノエチル-2-フェニルイミダゾリウムトリメリテイト、2,4-ジアミノ-6-[2'-メチルイミダゾリル-(1')]-エチル-s-トリアジン、2,4-ジアミノ-6-[2'-ウンデシルイミダゾリル-(1')]-エチル-s-トリアジン、2,4-ジアミノ-6-[2'-エチル-4'-メチルイミダゾリル-(1')]-エチル-s-トリアジン、2,4-ジアミノ-6-[2'-メチルイミダゾリル-(1')]-エチル-s-トリアジンイソシアヌル酸付加物、2-フェニルイミダゾール、イソシアヌル酸付加物、2-フェニル-4,5-ジヒドロキシメチルイミダゾール、2-フェニル-4-メチル-5-ヒドロキシメチルイミダゾール、2,3-ジヒドロ-1Hピロロ[1,2-a]ベンズイミダゾール、1-ドデシル-2-メチル-3-ベンジルイミダゾリウムクロライド、2-メチルイミダゾリン、2-フェニルイミダゾリン、2,4-ジアミノ-6-ビニル-s-トリアジン等の何れか、または、２種以上の組み合わせを含む。
【００２７】
アミンハロゲン化水素酸塩の含有量は、フラックスの全量を１００とした場合に、０質量％以上５質量％以下である。アミンハロゲン化水素酸塩は、アミンとハロゲン化水素を反応させた化合物であり、アミンとしては、エチルアミン、エチレンジアミン、トリエチルアミン、メチルイミダゾール、２−エチル−４−メチルイミダゾール等が挙げられ、ハロゲン化水素としては、塩素、臭素、ヨウ素の水素化物が挙げられる。
【００２８】
有機ハロゲン化合物の含有量は、フラックスの全量を１００とした場合に、０質量％以上５質量％以下である。有機ハロゲン化合物としては、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール等が挙げられる。
【００２９】
フラックスは、粘度調整、表面張力調整のため、他の添加剤として、界面活性剤を更に含んでも良い。界面活性剤の含有量は、フラックスの全量を１００とした場合に、０質量％以上４０質量％以下である。界面活性剤としては、ポリオキシエチレンアルキルジアミン、アセチレングリコール、ポリオキシエチレンポリオキシプロピレングリセリルエーテル、ポリオキシアルキレンエーテル等が挙げられる。
【００３０】
金属粉は、Ｐｂを含まないはんだであることが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加した合金の粉体で構成される。
【実施例】
【００３１】
以下の表１、表２に示す組成で実施例と比較例のフラックスを調合し、このフラックスを使用して実施例と比較例のソルダペーストを調合して、ソルダペースト中のフラックスとポリイミド及びポリベンゾオキサゾールとの反応性、フラックスの洗浄性、はんだ付け性について検証した。なお。表１における組成率は質量％である。
【００３２】
また、金属粉は、Ａｇが３．０質量％、Ｃｕが０．５質量％、残部がＳｎであるＳｎ−Ａｇ−Ｃｕ系のはんだ合金であり、粒径はφ２０〜３８μｍである。更に、ソルダペーストは、フラックスが１１質量％、金属粉が８９質量％である。
【００３３】
＜フラックスとポリイミド及びポリベンゾオキサゾールとの反応性の評価＞
（１）検証方法
シリコンウェハに所定の開口が設けられたマスクを形成して、実施例または比較例のソルダペーストを塗布し、マスクを除去した後、窒素雰囲気下にてリフローを行った。リフロー条件は、室温から２５０℃まで１℃／ｓの昇温速度で昇温した後、２５０℃にて３０秒保持した。リフロー後のシリコンウェハを、４０℃に保温した洗浄液にて浸漬洗浄し、乾燥させた。そして、ウェハの外観検査で、ポリイミド（ＰＩ）及びポリベンゾオキサゾール（ＰＢＯ）の部分に変色・膨潤、あるいは、シリコンウェハからの剥離が確認された場合は、ポリイミド及びポリベンゾオキサゾールとの反応性があると判断した。
【００３４】
検証の結果、ポリイミド及びポリベンゾオキサゾールとの反応が見られなかったものを○、ポリイミド及びポリベンゾオキサゾールとの反応が見られたものを×と評価した。
【００３５】
＜フラックスの洗浄性の評価＞
（１）検証方法
シリコンウェハに所定の開口が設けられたマスクを形成して、実施例または比較例のソルダペーストを塗布し、マスクを除去した後、窒素雰囲気下にてリフローを行った。リフロー条件は、室温から２５０℃まで１℃／ｓの昇温速度で昇温した後、２５０℃にて３０秒保持した。リフロー後のウェハを、４０℃に保温した洗浄液にて浸漬洗浄し、乾燥させた。
【００３６】
検証の結果、フラックスの残渣が見られなかったものを○、一部残渣が見られたものを△、残渣が見られたものを×と評価した。
【００３７】
【表１】
2018196898.tif 000002
【００３８】
【表２】
2018196898.tif 000003
【００３９】
第１の溶剤として所定量のジグリセリンＥＯ付加物、ジグリセリンＰＯ付加物またはグリセリンＥＯ／ＰＯ付加物を含有させた実施例１〜実施例２０では、ポリイミド及びポリベンゾオキサゾールとの反応は見られなかった。また、洗浄液による洗浄後にフラックス残渣が見られなかった。
【００４０】
ポリイミド及びポリベンゾオキサゾールとの反応性について、第１の溶剤として所定量のグリセリンＥＯ／ＰＯ付加物を含有させ、第２の溶剤として所定量のフェニルグリコールを含有させた実施例１、第１の溶剤として所定量のジグリセリンＥＯ付加物を含有させた実施例２、第１の溶剤として所定量のジグリセリンＰＯ付加物を含有させた実施例３では、いずれも良好な効果が得られた。
【００４１】
また、第１の溶剤として所定量のグリセリンＥＯ／ＰＯ付加物とジグリセリンＥＯ付加物を含有させた実施例４でも、良好な効果が得られた。更に、図示しないが、第１の溶剤としてジグリセリンＥＯ付加物、ジグリセリンＰＯ付加物、グリセリンＥＯ／ＰＯ付加物の２種以上を組み合わせた他の実施例でも、同様の結果が得られた。
【００４２】
なお、実施例１〜実施例４では、第２の溶剤として所定量のフェニルグリコールを含有させている。これに対し、第２の溶剤として2-エチルヘキシルジグリコールを含有させた実施例５、第２の溶剤としてターピネオールを含有させた実施例６、第２の溶剤としてへキシレングリコールを含有させた実施例７でも、良好な効果が得られた。
【００４３】
また、第２の溶剤として他のグリコールエーテル系溶剤、例えばヘキシルグリコール、ヘキシルジグリコール、2-エチルヘキシルグリコール、フェニルジグリコール、ベンジルグリコール、ベンジルジグリコール等の何れかを含有させた他の実施例でも、同様の結果が得られた。
【００４４】
更に、第２の溶剤として、ターピネオール、ヘキシルグリコール、ヘキシルジグリコール、へキシレングリコール、2-エチルヘキシルグリコール、2-エチルヘキシルジグリコール、フェニルグリコール、フェニルジグリコール、ベンジルグリコール、ベンジルジグリコール等の２種以上を組み合わせた他の実施例でも、同様の結果が得られた。
【００４５】
これに対し、第１の溶剤としてグリセリンＥＯ付加物を含有させた比較例１及び比較例２では、ポリイミド及びポリベンゾオキサゾールとの反応が見られた。
【００４６】
これにより、ポリイミド及びポリベンゾオキサゾールとの反応性を考慮すると、グリセリンＥＯ／ＰＯ付加物、ジグリセリンＥＯ付加物、または、ジグリセリンＰＯ付加物を溶剤として使用することが好ましいことが判る。
【００４７】
なお、フラックス残渣の洗浄性について、実施例１〜実施例７は、何れも良好な効果が得られた。
【００４８】
以上のことから、フラックス中の溶剤として、ジグリセリンＥＯ付加物、ジグリセリンＰＯ付加物、または、グリセリンＥＯ／ＰＯ付加物を本発明の範囲内で含むソルダペーストでは、フラックスと、ポリイミド及びポリベンゾオキサゾールとの反応が抑制されることが判った。また、リフロー後のフラックス残渣の洗浄を行えることが判った。
【００４９】
また、有機酸の含有量、種類を変更した実施例８〜実施例１１、アミンの含有量、種類を変更した実施例１２〜実施例１４、ハロゲンを含有させた実施例１５〜実施例１６でも、同様の結果が得られた。
【００５０】
その他、第１の溶剤と第２の溶剤の合計の含有量を上限値とした実施例１７、界面活性剤を含有させた実施例１８〜実施例１９、第１の溶剤と第２の溶剤の含有量を所定の範囲内で増減させた実施例２０でも、同様の効果が得られた。
【００５１】
このように、フラックス中に有機酸を本発明の範囲内で含むことでも、フラックスと、ポリイミド及びポリベンゾオキサゾールとの反応を抑制する効果が阻害されないことが判った。
【００５２】
有機酸としては、シュウ酸、マロン酸、コハク酸、グルタル酸、アジピン酸、ピメリン酸、スベリン酸、アゼライン酸、セバシン酸、プロピオン酸、２,２−ビスヒロドキシメチルプロピオン酸、２,２−ビスヒロドキシメチルブタン酸、グリコール酸、ジグリコール酸、リンゴ酸、酒石酸等の何れか、または２種以上を組み合わせた他の実施例でも、同様の結果が得られた。
【００５３】
また、活性補助剤として、更に、アミン、アミンハロゲン化水素酸塩、有機ハロゲン化合物のいずれか、または、２種以上の組み合わせを、本発明の範囲内で含むことでも、フラックスとポリイミド及びポリベンゾオキサゾールとの反応を抑制する効果が阻害されないことが判った。
【００５４】
アミンとしては、脂肪族アミンとして、エチルアミン、トリエチルアミン、エチレンジアミン等の何れか、または、２種以上を組み合わせた他の実施例、芳香族アミンとして、アニリン、ジメチルアニリン、ジエチルアニリン等の何れか、または、２種以上を組み合わせた他の実施例でも、同様の効果が得られた。
【００５５】
更に、アミノアルコール類として、N,N,N',N'-テトラキス(2-ヒドロキシプロピル)エチレンジアミン、N,N,N',N'',N''-ペンタキス(2-ヒドロキシプロピル)ジエチレントリアミン等の何れか、または、２種以上を組み合わせた他の実施例でも、同様の効果が得られた。
【００５６】
また、イミダゾール類として、イミダゾール、2-メチルイミダゾール、2-ウンデシルイミダゾール、2-ヘプタデシルイミダゾール、1,2-ジメチルイミダゾール、2-エチル-4-メチルイミダゾール、2-フェニルイミダゾール、2-フェニル-4-メチルイミダゾール、1-ベンジル-2-メチルイミダゾール、1-ベンジル-2-フェニルイミダゾール、1-シアノエチル-2-メチルイミダゾール、1-シアノエチル-2-ウンデシルイミダゾール、1-シアノエチル-2-エチル-4-メチルイミダゾール、1-シアノエチル-2-フェニルイミダゾール、1-シアノエチル-2-ウンデシルイミダゾリウムトリメリテイト、1-シアノエチル-2-フェニルイミダゾリウムトリメリテイト、2,4-ジアミノ-6-[2'-メチルイミダゾリル-(1')]-エチル-s-トリアジン、2,4-ジアミノ-6-[2'-ウンデシルイミダゾリル-(1')]-エチル-s-トリアジン、2,4-ジアミノ-6-[2'-エチル-4'-メチルイミダゾリル-(1')]-エチル-s-トリアジン、2,4-ジアミノ-6-[2'-メチルイミダゾリル-(1')]-エチル-s-トリアジンイソシアヌル酸付加物、2-フェニルイミダゾール、イソシアヌル酸付加物、2-フェニル-4,5-ジヒドロキシメチルイミダゾール、2-フェニル-4-メチル-5-ヒドロキシメチルイミダゾール、2,3-ジヒドロ-1Hピロロ[1,2-a]ベンズイミダゾール、1-ドデシル-2-メチル-3-ベンジルイミダゾリウムクロライド、2-メチルイミダゾリン、2-フェニルイミダゾリン、2,4-ジアミノ-6-ビニル-s-トリアジン等の何れか、または、２種以上を組み合わせた他の実施例でも、同様の効果が得られた。
【００５７】
アミンハロゲン化水素酸塩としては、エチルアミン、エチレンジアミン、トリエチルアミン、メチルイミダゾール、２−エチル−４−メチルイミダゾール等のアミンと、塩素、臭素、ヨウ素の水素化物が反応した他の実施例でも同様の効果が得られた。
【００５８】
有機ハロゲン化合物としては、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール等の何れか、または、２種以上を組み合わせた他の実施例でも同様の効果が得られた。
【００５９】
更に、界面活性剤を本発明の範囲内で含むことでも、フラックスとポリイミド及びポリベンゾオキサゾールとの反応を抑制する効果が阻害されないことが判った。
【００６０】
界面活性剤としては、ポリオキシエチレンアルキルジアミン、アセチレングリコール、ポリオキシエチレンポリオキシプロピレングリセリルエーテル、ポリオキシアルキレンエーテル等の何れか、または、２種以上を組み合わせた他の実施例でも同様の効果が得られた。グリコールエーテルとしては、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル等で効果が得られた。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
はんだ合金の粉末とフラックスからなるソルダペーストにおいて、
前記フラックスは、前記フラックスの全量を１００とした場合に、溶剤を２０質量％以上７０質量％以下、ベース剤を１５質量％以上５０質量％以下、有機酸を２質量％以上２０質量％以下で含み、
前記溶剤は、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、前記溶剤の全量を１００とした場合に５０質量％以上で含む
ことを特徴とするソルダペースト。
【請求項２】
前記有機酸は、シュウ酸、マロン酸、コハク酸、グルタル酸、アジピン酸、ピメリン酸、スベリン酸、アゼライン酸、セバシン酸、プロピオン酸、２,２−ビスヒロドキシメチルプロピオン酸、２,２−ビスヒロドキシメチルブタン酸、グリコール酸、ジグリコール酸、リンゴ酸、酒石酸の何れか、または２種以上の組み合わせである
ことを特徴とする請求項１に記載のソルダペースト。
【請求項３】
アミン、アミンハロゲン化水素酸塩、有機ハロゲン化合物、界面活性剤の何れか、または、２種以上の組み合わせを、前記フラックスに更に含む
ことを特徴とする請求項１または請求項２に記載のソルダペースト。
【請求項４】
前記アミンの含有量は、前記フラックスの全量を１００とした場合に、０質量％以上１５質量％以下、前記アミンハロゲン化水素酸塩の含有量は、前記フラックスの全量を１００とした場合に、０質量％以上５質量％以下、前記有機ハロゲン化合物の含有量は、前記フラックスの全量を１００とした場合に、０質量％以上５質量％以下、前記界面活性剤の含有量は、前記フラックスの全量を１００とした場合に、０質量％以上４０質量％以下である
ことを特徴とする請求項３に記載のソルダペースト。
【手続補正２】
【補正対象書類名】明細書
【補正対象項目名】０００９
【補正方法】変更
【補正の内容】
【０００９】
本願発明者らは、ポリイミド及びポリベンゾオキサゾールと、フラックスとの反応を、フラックス中の溶剤で抑制できることを見出した。そこで、本発明は、はんだ合金の粉末とフラックスからなるソルダペーストにおいて、フラックスは、フラックスの全量を１００とした場合に、溶剤を２０質量％以上７０質量％以下、ベース剤を１５質量％以上５０質量％以下、有機酸を２質量％以上２０質量％以下で含み、溶剤は、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、溶剤の全量を１００とした場合に５０質量％以上で含むソルダペーストである。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
はんだ合金の粉末とフラックスからなるソルダペーストにおいて、
前記フラックスは、前記フラックスの全量を１００とした場合に、溶剤を２０質量％以上７０質量％以下、ベース剤を１５質量％以上５０質量％以下、有機酸を２質量％超２０質量％以下で含み、
前記溶剤は、第１の溶剤として、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、前記溶剤の全量を１００とした場合に５０質量％以上で含み、グリセリンにエチレンオキサイドが付加重合されたグリセリンＥＯ付加物を含まず、
第２の溶剤として、ターピネオールまたはグリコールエーテル系溶剤を含み、ターピネオールまたはグリコールエーテル系溶剤として、ヘキシルグリコール、ヘキシルジグリコール、へキシレングリコール、2-エチルヘキシルグリコール、2-エチルヘキシルジグリコール、フェニルグリコール、フェニルジグリコール、ベンジルグリコール、ベンジルジグリコールの何れか、または、２種以上の組み合わせを含む
ことを特徴とするソルダペースト。
【請求項２】
前記有機酸は、シュウ酸、マロン酸、コハク酸、グルタル酸、アジピン酸、ピメリン酸、スベリン酸、アゼライン酸、セバシン酸、プロピオン酸、２,２−ビスヒロドキシメチルプロピオン酸、２,２−ビスヒロドキシメチルブタン酸、グリコール酸、ジグリコール酸、リンゴ酸、酒石酸の何れか、または２種以上の組み合わせである
ことを特徴とする請求項１に記載のソルダペースト。
【請求項３】
アミン、アミンハロゲン化水素酸塩、有機ハロゲン化合物、界面活性剤の何れか、または、２種以上の組み合わせを、前記フラックスに更に含む
ことを特徴とする請求項１または請求項２に記載のソルダペースト。
【請求項４】
前記アミンの含有量は、前記フラックスの全量を１００とした場合に、０質量％以上１５質量％以下、前記アミンハロゲン化水素酸塩の含有量は、前記フラックスの全量を１００とした場合に、０質量％以上５質量％以下、前記有機ハロゲン化合物の含有量は、前記フラックスの全量を１００とした場合に、０質量％以上５質量％以下、前記界面活性剤の含有量は、前記フラックスの全量を１００とした場合に、０質量％以上４０質量％以下である
ことを特徴とする請求項３に記載のソルダペースト。
【手続補正２】
【補正対象書類名】明細書
【補正対象項目名】００２５
【補正方法】変更
【補正の内容】
【００２５】
本願発明者らは、ポリイミド及びポリベンゾオキサゾールと、フラックスとの反応を、フラックス中の溶剤で抑制できることを見出した。そこで、本発明は、はんだ合金の粉末とフラックスからなるソルダペーストにおいて、フラックスは、フラックスの全量を１００とした場合に、溶剤を２０質量％以上７０質量％以下、ベース剤を１５質量％以上５０質量％以下、有機酸を２質量％超２０質量％以下で含み、溶剤は、第１の溶剤として、ジグリセリンにエチレンオキサイドが付加重合されたジグリセリンＥＯ付加物、ジグリセリンにプロピレンオキサイドが付加重合されたジグリセリンＰＯ付加物、グリセリンにエチレンオキサイド及びプロピレンオキサイドが付加重合されたグリセリンＥＯ／ＰＯ付加物の何れか、または、２種以上の組み合わせを、溶剤の全量を１００とした場合に５０質量％以上で含み、グリセリンにエチレンオキサイドが付加重合されたグリセリンＥＯ付加物を含まず、第２の溶剤として、ターピネオールまたはグリコールエーテル系溶剤を含み、ターピネオールまたはグリコールエーテル系溶剤として、ヘキシルグリコール、ヘキシルジグリコール、へキシレングリコール、2-エチルヘキシルグリコール、2-エチルヘキシルジグリコール、フェニルグリコール、フェニルジグリコール、ベンジルグリコール、ベンジルジグリコールの何れか、または、２種以上の組み合わせを含むソルダペーストである。